(57)【要約】【課題】錠の解錠、施錠を監視して施錠や鍵の抜き忘れなどを防止する。【解決手段】ドアの錠前部に設置される錠監視装置（２）であって、鍵（５）の挿抜および回動を支持する支持機構部（装置本体４）と、前記鍵の挿入、回動または抜き取りの何れかまたは２以上を検出する検出部（検出機構部１０）と、前記検出部から前記挿入、前記回動または前記抜き取りの何れかまたは２以上の検出出力を取り込み、前記鍵の操作を表す監視情報を送信する通信部（通信モジュール８）とを備える。【選択図】図２
2019199771.tif 000002
【特許請求の範囲】
【請求項１】
ドアの錠前部に設置される錠監視装置であって、
鍵の挿抜および回動を支持する支持機構部と、
前記鍵の挿入、回動または抜き取りの何れかまたは２以上を検出する検出部と、
前記検出部から前記挿入、前記回動または前記抜き取りの何れかまたは２以上の検出出力を取り込み、前記鍵の監視情報を送信する通信部と、
を備えることを特徴とする錠監視装置。
【請求項２】
鍵の鍵挿抜孔を備える回動部と、
前記回動部を回動可能に支持する回動機構部と、
前記鍵の挿入または抜き取りにより開閉する第１のスイッチ部と、
前記鍵の回動により開閉する第２のスイッチ部と、
を備えることを特徴とする請求項１に記載の錠監視装置。
【請求項３】
さらに、前記鍵の挿抜または回動を受けて電気エネルギーを生じる発電部を備え、前記通信部は、前記監視情報の送信に前記電気エネルギーを用いることを特徴とする請求項１に記載の錠監視装置。
【請求項４】
ドアの錠前部に着脱可能に設置され、錠前における錠の挿入、回動または抜き取りの何れかまたは２以上の操作を監視し、その監視情報を送信する錠監視装置と、
前記錠監視装置が送信する前記監視情報を受信し、前記監視情報の記録、提示またはアラート情報の何れかまたは２以上を告知する管理装置と、
を備える錠管理システム。
【請求項５】
前記錠監視装置は、請求項１、請求項２または請求項３の何れかの請求項に記載された錠監視装置であることを特徴とする請求項４に記載の錠管理システム。
【請求項６】
前記管理装置は、
前記監視情報を受信する受信部と、
前記監視情報を記憶する記憶部と、
前記鍵の監視情報の受取りその記録、提示またはアラート情報の生成の何れかまたは２以上を含む処理を実行する処理部と、
を備えることを特徴とする請求項４に記載の錠管理システム。
【請求項７】
コンピュータにより実現するプログラムであって、
監視装置より鍵の監視情報を取込む処理と、
前記監視情報に応じた提示情報またはアラート情報の生成の何れかまたは双方を提示する処理と、
を前記コンピュータに実現させるためのプログラム。
【発明の詳細な説明】
【技術分野】
【０００１】
本発明は、ロッカー錠など、錠の解錠または施錠の監視および管理技術に関する。
【背景技術】
【０００２】
所有物などの保管にはロッカーが使用されている。このロッカーには扉にいわゆるロッカー錠が取り付けられて施錠される。
このロッカー錠に関し、扉側に備えた錠箱に錠部が備えられ、この錠部に差し込んだ鍵操作により掛け金を進退させることにより、施錠または解錠することが知られている（特許文献１）。
【先行技術文献】
【特許文献】
【０００３】
【特許文献１】特開２００２−１６８０１３号公報
【発明の概要】
【発明が解決しようとする課題】
【０００４】
ところで、ロッカールームや居室などに設置されるロッカーは、個人情報や秘密情報などの情報保管に利用される。このようなロッカーは常時、施錠し、必要に応じて解錠される。解錠した後、施錠や鍵の抜き取りを忘れると、ロッカー本来の機能が損なわれる。
そこで、本発明の目的は上記課題に鑑み、錠の解錠、施錠を監視して施錠や鍵の抜き忘れなどを防止することにある。
【課題を解決するための手段】
【０００５】
上記目的を達成するため、本発明の錠監視装置の一側面によれば、ドアの錠前部に設置される錠監視装置であって、鍵の挿抜および回動を支持する支持機構部と、前記鍵の挿入、回動または抜き取りの何れかまたは２以上を検出する検出部と、前記検出部から前記挿入、前記回動または前記抜き取りの何れかまたは２以上の検出出力を取り込み、前記鍵の監視情報を送信する通信部とを備える。
この錠監視装置において、鍵の鍵挿抜孔を備える回動部と、前記回動部を回動可能に支持する回動機構部と、前記鍵の挿入または抜き取りにより開閉する第１のスイッチ部と、前記鍵の回動により開閉する第２のスイッチ部とを備えてよい。
この錠監視装置において、さらに、前記鍵の挿抜または回動を受けて電気エネルギーを生じる発電部を備え、前記通信部は前記監視情報の送信に前記電気エネルギーを用いてよい。
【０００６】
上記目的を達成するため、本発明の錠管理システムの一側面によれば、ドアの錠前部に着脱可能に設置され、錠前における錠の挿入、回動または抜き取りの何れかまたは２以上の操作を監視し、その監視情報を送信する錠監視装置と、前記錠監視装置が送信する前記監視情報を受信し、前記監視情報の記録、提示またはアラート情報の何れかまたは２以上を告知する管理装置とを備える。
この錠管理システムにおいて、前記管理装置は、前記監視情報を受信する受信部と、前記監視情報を記憶する記憶部と、前記鍵の監視情報の受取りその記録、提示またはアラート情報の生成の何れかまたは２以上を含む処理を実行する処理部とを備えてよい。
【０００７】
上記目的を達成するため、本発明のプログラムの一側面によれば、コンピュータにより実現するプログラムであって、監視装置より鍵の監視情報を取込む処理と、前記監視情報に応じた提示情報またはアラート情報の生成の何れかまたは双方を提示する処理とを前記コンピュータに実現させる。
【発明の効果】
【０００８】
本発明によれば、次のいずれかの効果が得られる。
(1) ロッカーなどの錠前の鍵孔に挿抜される鍵の挿抜、回動を監視情報により監視し、錠の解錠などの操作を監視することができる。
(2) 錠の解錠、施錠を監視して施錠や鍵の抜き忘れなどを防止できる。
【図面の簡単な説明】
【０００９】
【図１】第１の実施の形態に係る錠監視装置を示す図である。
【図２】Ａは錠監視装置を拡大して示す図、Ｂは図２のＡのIIＢ−IIＢ線断面図、Ｃは通信モジュールを示す図である。
【図３】Ａは回動機構部および検出機構部を示す図、Ｂは可動部材の保持機構を説明するための図である。
【図４】鍵の状態および検出動作を示す図である。
【図５】錠の状態検出および監視情報を示す図である。
【図６】錠監視装置のハードウェアを示す図である。
【図７】第２の実施の形態に係る錠管理システムを示す図である。
【図８】錠管理システムにおける管理装置のハードウェアを示す図である。
【図９】Ａはオフィス内のロッカー配置を示す図、Ｂは情報提示部の画面表示を示す図である。
【図１０】鍵操作を示す図である。
【図１１】鍵操作の監視状態を示す図である。
【図１２】錠管理システムの処理シーケンスを示す図である。
【発明を実施するための形態】
【００１０】
〔第１の実施の形態〕
＜錠監視装置＞
図１は、第１の実施の形態に係る錠監視装置を示している。図１に示す構成は一例であり、斯かる構成に本発明が限定されるものではない。
この錠監視装置２はたとえば、錠前で施錠されるロッカー扉の錠前部上に磁石テープなどにより着脱可能に設置される。この錠監視装置２には鍵挿抜孔３が備えられ、この鍵挿抜孔３より鍵５の挿入、回動、抜き取りなどの鍵操作が可能である。この錠監視装置２には窓部７が備えられ、ロッカー使用者の識別情報などが表示される。
【００１１】
＜錠監視装置２の構造＞
図２のＡは錠監視装置２を拡大して示している。この錠監視装置２には装置本体４、回動機構部６、通信モジュール８および検出機構部１０（図３のＡ）が備えられる。
装置本体４は、鍵５の挿抜および回動を支持する支持機構部の一例であり、ロッカー１２の扉１４の錠前部上に着脱可能に取り付けられる。この装置本体４には円形の支持孔部１６が備えられ、この支持孔部１６に円形の回動部１８が備えられる。この回動部１８の中心部には鍵挿抜孔３が備えられる。回動機構部６は支持孔部１６および回動部１８により構成されている。つまり、回動部１８は回動機構６により支持孔部１６に回動可能に支持され、係止部１９により装置本体４からの脱落防止が図られている。
この回動機構部６では、鍵挿抜孔３に鍵５を挿入して回動部１８に回転トルクが付与されたとき回動部１８を回動でき、その停止位置で回動部１８が保持される。
【００１２】
通信モジュール８は通信部の一例である。この通信モジュール８は検出機構部１０の検出出力を取り込んで施錠・解錠を監視し、この監視情報を送信する。この監視情報の送信にはたとえば、近距離無線を利用すればよい。
検出機構部１０は鍵の挿入、回動または抜き取りの何れかまたは２以上を検出する検出部の一例である。この検出機構部１０では鍵５の鍵挿抜孔３への挿入または抜取り、鍵５による回動部１８の回動を検出する。通信モジュール８には検出機構部１０の検出に基づき、鍵５の挿入、抜き取り、回動部１８の回動を表す監視情報を生成し、送信する。
【００１３】
図２のＢは、図２のＡのIIＢ−IIＢ断面を示している。装置本体４はロッカー１２の扉１４に磁石テープや両面テープなどの固定手段２４により着脱可能に固定する。装置本体４の固定位置は、ロッカー錠２６に回動部１８を一致させ、鍵５が挿入されるロッカー錠２６の鍵孔２８に鍵挿抜孔３を合致させることが必要である。
装置本体４の支持孔部１６はロッカー錠２６を覆う箇所であり、支持孔部１６の背面側の厚さは鍵５の挿抜を妨げない程度の厚さにすることが好ましい。支持孔部１６の開口縁には鍵５の挿入をガイドするテーパー面部３０を形成すればよい。
【００１４】
装置本体４には支持孔部１６から離れた位置に通信モジュール８が配置され、この通信モジュール８が装置本体４に隠蔽されて防護される。
斯かる構成によれば、鍵５を鍵挿抜孔３からロッカー錠２６の鍵孔２８に挿抜させ、施錠または解錠を容易に行うことができ、鍵５の回動とともに回動部１８を回動させることができる。
【００１５】
図２のＣは、通信モジュール８の一例を示している。通信モジュール８は基板部３２およびアンテナ３４が備えられる。基板部３２には検出機構部１０に接続されて監視情報を生成する監視回路３６が備えられる。
【００１６】
＜回動機構部６および検出機構部１０＞
図３のＡは、回動機構部６および検出機構部１０を示している。図３のＡにおいて、図２と同一部分には同一符号を付してある。
回動部１８の背面部には大小の支持部材３８−１、３８−２が一定の間隔４０を以て備えられている。各支持部材３８−１、３８−２は回動部１８の背面側の一部であり、鍵挿抜孔３（図２のＢ）に挿入された鍵５によって回動可能である。
各支持部材３８−１、３８−２の対向面側には断面が長方形状の凹部４２−１、４２−２が備えられる。凹部４２−１側には固定部材４４および可動部材４６が備えられる。固定部材４４および可動部材４６の対向上部には鍵５の挿入をガイドするテーパー面部４３が形成されている。
【００１７】
固定部材４４は支持部材３８−２に固定されて移動しない。これに対し、可動部材４６はたとえば、図３のＢに示すように、支持部材３８−１または固定部材４４との間にスプリングなどの弾性手段４８の復元力を以て弾性支持され、移動可能である。つまり、固定部材４４と可動部材４６との間に鍵５が挿抜可能であり、鍵５が挿入された際、可動部材４６は移動して固定部材４４から離れる。鍵５が抜かれれば、可動部材４６は既述の復元力を受けて元位置に復帰する。弾性手段４８はたとえば、接点材料が持つ弾性による復元力を利用し、この復元力を支持部材３８−１や固定部材４４と可動部材４６との間に作用させ、可動部材４６を移動可能にすればよい。
【００１８】
このような回動機構部６とともに回動接点５０−１、可動接点５０−２および固定接点５０−３が備えられる。
回動接点５０−１は可動部材４６の可動接点５０−２に対向して支持部材３８−２の表面部に設置されており、回動部１８とともに回動する導体部材であって、鍵５の未挿入時、可動接点５０−２と導通し、同時に固定接点５０−３と導通する。
可動接点５０−２は可動部材４６に設置されている。この可動接点５０−２は可動部材４６の幅より大きく、回動接点５０−１に橋絡する導体部材であるから、鍵５の未挿入時または引き抜き後、回動接点５０−１と導通する。
【００１９】
固定接点５０−３は支持孔部１６の内壁面に設置された導体部材であって、支持部材３８−１、３８−２の間隔４０内に露出する。この露出時、固定接点５０−３は回動接点５０−１と導通し、回動時、回動前の回動接点５０−１との導通が解除される。
斯かる構成により、検出機構部１０には回動接点５０−１および可動接点５０−２により第１のスイッチ部ＳＷ１、回動接点５０−１および固定接点５０−３により第２のスイッチ部ＳＷ２が備えられる。
【００２０】
＜回動接点５０−１の回動と固定接点５０−３の位置の関係＞
図３のＡに示す回動機構部６では、回動部１８は中心Ｏを回動中心として鍵５により矢印Ｒの方向に回動させることができる。この回動範囲はたとえば、１８０°でよいが、１８０°以上でもよい。
固定接点５０−３は角度θａ、θｂの一対の円弧導体であり、１８０°より狭い角度範囲内に設定されている。つまり、この例では、中心Ｏの右側に設置されている。これに対し、回動接点５０−１は、施錠時、固定接点５０−３の対向間隔の広い側の各エッジに接触して導通する関係にある。
鍵５により回動部１８をＲ方向に回動させても、回動接点５０−１の一端が角度θａの範囲内では固定接点５０−３と導通する。さらに、回動部１８の回動が進むと、角度θａ、θｂの範囲から回動接点５０−１が外れ、回動接点５０−１と固定接点５０−３の導通が解除されるが、その回動途上で、回動接点５０−１の一端が角度θｂの範囲を通過する際に固定接点５０−３と導通した後、固定接点５０−３との導通が解除される。
【００２１】
＜鍵５の未挿入（施錠状態）＞
図４のＡに示すように、鍵５が未挿入であれば、可動部材４６は固定部材４４側へ移動しており、このとき、回動接点５０−１には可動接点５０−２が接触するとともに、固定接点５０−３が導通する。
【００２２】
＜鍵５の挿入（解錠操作）＞
図４のＢに示すように、鍵５が挿入されると、可動部材４６が移動して固定部材４４から離れ、このとき、回動接点５０−１および可動接点５０−２が開状態となる。このとき、回動接点５０−１は固定接点５０−３と接触している。
【００２３】
＜鍵５の回動（解錠操作）＞
図４のＣに示すように、鍵５を回動させると、回動部１８が回動するので、回動接点５０−１は固定接点５０−３と離れる角度範囲で開状態、固定接点５０−３に接する角度θａ、θｂ（図３のＡ）の範囲で閉状態となる。
【００２４】
＜鍵５の引き抜き（解錠操作後の解錠状態）＞
図４のＤに示すように、鍵５が引き抜かれると、可動部材４６が元位置に復帰するため、可動接点５０−２が回動接点５０−１に接して閉状態となる。
【００２５】
＜錠の状態検出＞
図５のＡは、錠監視装置２の鍵５の未挿入、挿入、回動および引き抜きの各状態を示している。
図５のＢは、スイッチＳＷ１のＯＮ、ＯＦＦを示している。鍵５の未挿入時：ＳＷ１＝ＯＮ、鍵５の挿入時および回動時：ＳＷ１＝ＯＦＦ、鍵５の引き抜き時：ＳＷ１＝ＯＮ（＝鍵５の未挿入）となる。
【００２６】
図５のＣは、スイッチＳＷ２のＯＮ、ＯＦＦを示している。鍵５の未挿入時および挿入時：ＳＷ２＝ＯＮとなる。鍵５の回動時、角度θａ、θｂの範囲：ＳＷ２＝ＯＮ、角度θａ、θｂ以外の範囲：ＳＷ２＝ＯＦＦとなる。鍵５の引き抜き時：ＳＷ２＝ＯＦＦ（＝鍵５の未挿入）となる。
図５のＤは、スイッチＳＷ１、ＳＷ２の状態データを示している。ＳＷ１またはＳＷ２のＯＮ＝「１」、ＳＷ１またはＳＷ２のＯＦＦ＝「０」と仮定すれば、「ＳＷ１，ＳＷ２」は未挿入時：「１，１」、挿入時：「０，１」、回動時：「０，１」、「０，０」、「０，１」、引き抜き時：「１，０」の状態データ＝監視情報が得られる。
【００２７】
鍵５の挿入状態で、図５のＥのＥ１に示すように、回動させると、解錠状態となる。この解錠状態から、図５のＥのＥ２に示すように、回動させると、施錠状態に移行する。このような施錠、解錠は、図５のＢおよびＣに示すように、ＳＷ１、ＳＷ２の開閉を生じさせる。したがって、図５のＤに示すように、この施錠または解錠は監視情報に現れる。
【００２８】
＜通信モジュール８＞
図６は、通信モジュール８のハードウェアを示している。この通信モジュール８は通信部の一例である。この通信モジュール８が備える監視回路３６には、検出回路５２、制御部５４、発電部５６、信号生成部５８が備えられる。
検出回路５２には検出機構部１０の回動接点５０−１、可動接点５０−２および固定接点５０−３が接続される。この検出回路５２は、鍵５の状態を表すスイッチ部ＳＷ１、ＳＷ２のスイッチ出力（ＯＮ、ＯＦＦ）を検出し、各出力を制御部５４に提供する。制御部５４はプロセッサやメモリを備えるコンピュータで構成し、信号生成部５８などの機能部を制御する。
【００２９】
発電部５６は鍵５の挿抜や回転を受けて発電し、この電気エネルギーが信号生成部５８に加えられる。
信号生成部５８は、発電部５６が発電した電気エネルギーを受けて監視情報を伝送する高周波信号を生成する。この高周波信号はたとえば、近距離無線信号であり、アンテナ３４から送信される。
この通信モジュール８ではたとえば、鍵５の挿入、回動または引き抜きの何れかまたは２以上を検出する検出機構部１０からの出力を受け、これらの何れかまたは２以上を以て監視情報を送信する構成としてよい。
【００３０】
＜第１実施の形態の効果＞
この第１の実施の形態によれば、次の効果が得られる。
(1) 鍵５の未挿入時、スイッチ部ＳＷ１およびＳＷ２＝ＯＮから施錠状態を表す監視情報を得ることができる。
(2) 鍵５の挿入時、スイッチ部ＳＷ１＝ＯＦＦ、ＳＷ２＝ＯＮから鍵５の挿入を表す監視情報を得ることができる。
(3) 鍵５の回動時、角度θａ、θｂの範囲またはそれ以外の範囲でスイッチ部ＳＷ１＝ＯＦＦ、ＳＷ２＝ＯＮまたはＯＦＦの変化から鍵５の回動を表す監視情報を得ることができる。
(4) 鍵５の引き抜き時、スイッチ部ＳＷ１＝ＯＮ、ＳＷ２＝ＯＦＦから鍵５の引き抜きを表す監視情報を得ることができる。
【００３１】
(5) 監視情報は通信モジュール８の識別情報ないし錠前の識別情報に関係付けることにより、ロッカー錠２６に設置された錠監視装置２を特定でき、解錠などの鍵操作を特定することができる。
(6) 監視情報は有線または無線で送出でき、たとえば、近距離無線通信を用いて伝送すれば、コンパクトかつ一元管理が可能な錠監視ないし管理システムを構築することができる。
(7) 鍵５の未挿入、挿入、回動、引き抜きなどの状態を表す状態情報は、錠監視装置２などの識別情報とともにたとえば、パケットデータからなる監視情報として伝送でき、監視情報からロッカー錠などの不正解錠などを監視できる。
【００３２】
〔第２の実施の形態〕
＜錠管理システム＞
図７は、第２の実施の形態に係る錠管理システムを示している。図７において、図２のＡと同一部分には同一符号を付してある。
この錠管理システム６２には少なくともひとつの錠監視装置２と、管理装置６４が備えられる。錠監視装置２はたとえば、ロッカー１２の扉１４にドア錠に被せて設置されている。管理装置６４は通信機能を備えるコンピュータであり、パーソナルコンピュータ（ＰＣ）の他、タブレット端末、スマートフォンなどの情報端末でよい。
【００３３】
＜管理装置６４＞
図８は錠管理システム６２における管理装置６４のハードウェアを示している。この管理装置６４には通信機能を備えるＰＣとして、受信部６６、プロセッサ６８、記憶部７０、情報提示装置７２およびキーボード７４（図７）が備えられる。
受信部６６はプロセッサ６８の制御により、錠監視装置２−１、２−２・・・２−Ｎからの高周波信号を受信し、各受信信号から状態情報を検出する。
プロセッサ６８は情報処理部の一例であり、記憶部７０にあるＯＳ（Operating System）および錠管理プログラムを実行し、状態情報の保存や提示情報の生成などを行う。
【００３４】
記憶部７０にはＲＯＭ（Read-Only Memory）、ＲＡＭ（Random-Access Memory）などの記憶素子が備えられる。既述の状態情報はたとえば、施錠管理ファイルに格納し、ＲＯＭに保存すればよい。
情報提示装置７２はたとえば、ＬＣＤ（Liquid Crystal Display）で構成し、表示画面上にタッチパネルが備えられる。この情報提示装置７２にはたとえば、記憶部７０に保存された錠の状態情報を表示することができる。
情報提示装置７２の表示画面には入力手段の一例としてタッチパネルを備えてよいし、他のユーザーインターフェースとして、キーボードやマウスなどの機器や印刷装置などが併設されてよい。
【００３５】
＜プロセッサ６８による制御機能＞
プロセッサ６８で実行される制御機能には監視情報の受取り、鍵５の監視情報の受信などの監視、監視情報の提示、アラート情報の生成などが含まれる。
ａ）監視情報の受取り
管理装置６４は、各錠監視装置２から送信された監視情報を常時受け取る。
ｂ）鍵５の監視情報の受信などの監視
管理装置６４は、錠監視装置２から送信される監視情報の受信を常時監視する。
【００３６】
ｃ）監視情報の提示
管理装置６４は、記憶部７０に格納された各情報から情報提示装置７２に提示する提示情報を生成する。
ｄ）アラート情報の生成
管理装置６４は、記憶部７０に格納された監視情報から異常を判定し、その判定結果として異常を告知するアラート情報を生成する。監視情報からの異常判定はたとえば、各ロッカー１２の利用者が通常使用と異なる時間などに解錠操作を実施した場合などに異常と判定すればよい。
【００３７】
＜錠監視装置２の配置および情報表示＞
図９のＡは、オフィス内のロッカー配置を示している。この例では、オフィスルーム７６の壁際に複数のロッカー１２が配置され、各ロッカー１２の扉１４には錠監視装置２が設置されている。
図９のＢは、情報提示装置７２の画面表示を示している。オフィス内のロッカー配置図および錠監視装置２の配置情報は、管理装置６４に取り込まれ、情報提示装置７２の表示画面７８に表示されている。
この表示画面７８にはオフィスルーム７６の入口８０に監視表示部８２−１が表示されるとともに、ロッカー１２の位置に監視表示部８２−２が表示されている。監視表示部８２−１、８２−２は鍵５の挿入、解錠、施錠に応じて異なる発光色で表示する。
【００３８】
＜鍵５の未挿入、挿入、解錠、施錠および監視表示＞
図１０は鍵操作を示し、図１１はこの鍵操作に対応した鍵５の監視状態を示している。鍵５が鍵挿抜孔３に未挿入（図１０のＡ）であれば、既述の図４のＡの状態であり、図１１のＡに示すように、監視表示部８２−１、８２−２はその未挿入状態を表すたとえば、青色表示となる。
鍵５が挿入（図１０のＢ）されると、既述の図４のＢの状態であり、図１１のＢに示すように、監視表示部８２−１、８２−２は青色表示から挿入状態を表すたとえば、赤色表示に遷移する。
解錠（図１０のＣ）されると、既述の図４のＣの状態であり、図１１のＣに示すように、監視表示部８２−１、８２−２はその解錠状態を表すたとえば、赤色表示となる。
施錠（図１０のＤ）されると、既述の図４のＡの状態に戻り、図１１のＤに示すように、監視表示部８２−１、８２−２は赤色表示から施錠状態を表すたとえば、青色表示に遷移する。
【００３９】
＜処理シーケンス＞
図１２は錠管理システムの処理シーケンスを示している。この処理シーケンスにおいて、工程または処理は「Ｓ」とし、このＳに付した番号はその順序を示している。
各錠監視装置２は、管理装置６４と一例として、近距離無線通信を確立させる。これらの通信は無線の他、有線であってもよい。
各錠監視装置２は個別に錠監視を行う（Ｓ１０１）。この錠監視には、鍵５の未挿入、回動または抜き取りの何れかまたは２以上の検出出力を取り込み、鍵５の操作を表す監視情報を送信することが含まれる。
【００４０】
管理装置６４は、各錠監視装置２から監視情報の取込みを行う（Ｓ１０２）。この監視情報の取込みには錠監視装置２から高周波信号の受信、この高周波信号からの監視情報の検出などの処理が含まれる。
管理装置６４は、各錠監視装置２の監視情報を記憶部７０に格納する（Ｓ１０３）。既述のように、各監視情報は、錠監視装置２の識別情報、位置情報、日時情報などに関係付けられて保存してもよい。
管理装置６４は、記憶部７０の格納情報から提示情報を生成する（Ｓ１０４）。この提示情報は情報提示装置７２に提示するためのたとえば、画像情報でよい。
【００４１】
管理装置６４は、情報提示装置７２に情報提示を行う（Ｓ１０５）。この情報提示は、定期的に行ってもよいし、ユーザーからの要請で行ってもよいし、鍵５の解錠などの契機により行ってもよい。
管理装置６４は監視情報から異常を判定し、その判定結果としてアラート情報を出力する（Ｓ１０６）。このアラート情報はたとえば、情報提示装置７２の画面に表示されるたとえば、該当データに赤色表示や点滅表示などで行い、管理者に告知する形態であればよい。
【００４２】
＜第２の実施の形態の効果＞
この第２の実施の形態によれば、次の効果が得られる。
(1) 居室などに設置されたロッカーは、通常、施錠状態にあり、必要時に解錠するが、この時に施錠忘れや、鍵の抜き忘れを防止できる。鍵の状態として解錠や施錠の記録を取り、これを管理することができる。
(2) 錠監視装置２は錠前と分離しており、着脱が可能である。このため、鍵挿抜孔３には鍵５を中途状態に差し、鍵５を開状態で、施錠されたように見せることも可能である。企業向けとしては退社時のチェック（オープン状態のロッカーが無いかなど）を簡素化し、画面で一括確認することができる。
(3)ロッカー錠などの解錠、施錠などの履歴を取ったり、開け閉めのタイミングで使用者含め管理者にメール通知したりすることも可能である。
【００４３】
以上説明したように、錠監視装置、錠管理システムまたはプログラムの最も好ましい実施の形態等について説明した。本発明は、上記記載に限定されるものではない。特許請求の範囲に記載され、または発明を実施するための形態に開示された発明の要旨に基づき、当業者において様々な変形や変更が可能である。斯かる変形や変更が、本発明の範囲に含まれることは言うまでもない。
【産業上の利用可能性】
【００４４】
本発明の錠監視装置、錠管理システムまたはプログラムによれば、錠単位で解錠、施錠の鍵操作を監視し、施錠や鍵の抜き忘れなどを未然に防止できるなど、優れた鍵管理のシステムを構築できる。
【符号の説明】
【００４５】
２  錠監視装置
３  鍵挿抜孔
４  装置本体
５  鍵
７  窓部
６  回動機構部
８  通信モジュール
１０  検出機構部
１２  ロッカー
１４  扉
１６  支持孔部
１８  回動部
１９  係止部
２４  固定手段
２６  ロッカー錠
２８  鍵孔
３０、４３  テーパー面部
３２  基板部
３４  アンテナ
３６  監視回路
３８−１、３８−２  支持部材
４０  間隔
４２−１、４２−２  凹部
４４  固定部材
４６  可動部材
４８  弾性手段
５０−１  回動接点
５０−２  可動接点
５０−３  固定接点
ＳＷ１、ＳＷ２  スイッチ部
５２  検出回路
５４  制御部
５６  発電部
５８  信号生成部
６２  錠管理システム
６４  管理装置
６６  受信部
６８  プロセッサ
７０  記憶部
７２  情報提示装置
７４  キーボード
７６  オフィスルーム
７８  表示画面
８２−１、８２−２  監視表示部
【図１】
2019199771.tif 000003
【図２】
2019199771.tif 000004
【図３】
2019199771.tif 000005
【図４】
2019199771.tif 000006
【図５】
2019199771.tif 000007
【図６】
2019199771.tif 000008
【図７】
2019199771.tif 000009
【図８】
2019199771.tif 000010
【図９】
2019199771.tif 000011
【図１０】
2019199771.tif 000012
【図１１】
2019199771.tif 000013
【図１２】
2019199771.tif 000014
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
ドアの錠前部に設置される錠監視装置であって、
鍵の挿抜および回動を支持する支持機構部と、
支持孔部と、該支持孔部内に第１の支持部材及び該第１の支持部材との間に間隔部を以て備えた第２の支持部材を有し、且つ前記第１の支持部材及び前記第２の支持部材によって前記支持孔部に回動可能に支持される回動部とで構成される回動機構部と、
前記間隔部に設けられて前記鍵の挿抜により移動可能な可動部材に設置された可動接点と、該可動接点に対向して前記第２の支持部材に設置されて前記回動部とともに回動する回動接点とで構成されて、前記鍵の挿入により前記可動接点および前記回動接点の導通が解除されるとともに、前記鍵の抜き取りにより前記可動接点および前記回動接点が導通することで開閉する第１のスイッチ部と、前記回動接点と前記支持孔部の内壁面に設置された固定接点とで構成され、前記鍵の回動により前記回動接点および前記固定接点が導通するとともに前記回動接点および前記固定接点の導通が解除されることで開閉する第２のスイッチ部とを備え、前記鍵の挿入、前記回動または前記抜き取りの何れかまたは２以上を検出する検出部と、
前記検出部から前記挿入、前記回動または前記抜き取りの何れかまたは２以上の検出出力を取り込み、前記鍵の監視情報を送信する通信部と、
を備えることを特徴とする錠監視装置。
【請求項２】
さらに、前記鍵の挿抜または回動を受けて電気エネルギーを生じる発電部を備え、前記通信部は、前記監視情報の送信に前記電気エネルギーを用いることを特徴とする請求項１に記載の錠監視装置。
【請求項３】
ドアの錠前部に着脱可能に設置され、錠前における鍵の挿入、回動または抜き取りの何れかまたは２以上の操作を監視し、その監視情報を送信する錠監視装置と、
前記錠監視装置が送信する前記監視情報を受信し、前記監視情報の記録、提示またはアラート情報の何れかまたは２以上を告知する管理装置と、
を備え、
前記錠監視装置が、
鍵の挿抜および回動を支持する支持機構部と、
支持孔部と、該支持孔部内に第１の支持部材及び該第１の支持部材との間に間隔部を以て備えた第２の支持部材を有し、且つ前記第１の支持部材及び前記第２の支持部材によって前記支持孔部に回動可能に支持される回動部とで構成される回動機構部と、
前記間隔部に設けられて前記鍵の挿抜により移動可能な可動部材に設置された可動接点と、該可動接点に対向して前記第２の支持部材に設置されて前記回動部とともに回動する回動接点とで構成されて、前記鍵の挿入により前記可動接点および前記回動接点の導通が解除されるとともに、前記鍵の抜き取りにより前記可動接点および前記回動接点が導通することで開閉する第１のスイッチ部と、前記回動接点と前記支持孔部の内壁面に設置された固定接点とで構成され、前記鍵の回動により前記回動接点および前記固定接点が導通するとともに前記回動接点および前記固定接点の導通が解除されることで開閉する第２のスイッチ部とを備え、前記鍵の挿入、前記回動または前記抜き取りの何れかまたは２以上を検出する検出部とを備える錠管理システム。
【請求項４】
前記錠監視装置は、請求項１または請求項２に記載された錠監視装置であることを特徴とする請求項３に記載の錠管理システム。
【請求項５】
前記管理装置は、
前記監視情報を受信する受信部と、
前記監視情報を記憶する記憶部と、
前記鍵の監視情報の受取りその記録、提示またはアラート情報の生成の何れかまたは２以上を含む処理を実行する処理部と、
を備えることを特徴とする請求項３に記載の錠管理システム。
【手続補正２】
【補正対象書類名】明細書
【補正対象項目名】０００５
【補正方法】変更
【補正の内容】
【０００５】
上記目的を達成するため、本発明の錠監視装置の一側面によれば、ドアの錠前部に設置される錠監視装置であって、鍵の挿抜および回動を支持する支持機構部と、支持孔部と、該支持孔部内に第１の支持部材及び該第１の支持部材との間に間隔部を以て備えた第２の支持部材を有し、且つ前記第１の支持部材及び前記第２の支持部材によって前記支持孔部に回動可能に支持される回動部とで構成される回動機構部と、前記間隔部に設けられて前記鍵の挿抜により移動可能な可動部材に設置された可動接点と、該可動接点に対向して前記第２の支持部材に設置されて前記回動部とともに回動する回動接点とで構成されて、前記鍵の挿入により前記可動接点および前記回動接点の導通が解除されるとともに、前記鍵の抜き取りにより前記可動接点および前記回動接点が導通することで開閉する第１のスイッチ部と、前記回動接点と前記支持孔部の内壁面に設置された固定接点とで構成され、前記鍵の回動により前記回動接点および前記固定接点が導通するとともに前記回動接点および前記固定接点の導通が解除されることで開閉する第２のスイッチ部とを備え、前記鍵の挿入、前記回動または前記抜き取りの何れかまたは２以上を検出する検出部と、前記検出部から前記挿入、前記回動または前記抜き取りの何れかまたは２以上の検出出力を取り込み、前記鍵の監視情報を送信する通信部とを備える。
この錠監視装置において、さらに、前記鍵の挿抜または回動を受けて電気エネルギーを生じる発電部を備え、前記通信部は前記監視情報の送信に前記電気エネルギーを用いてよい。
【手続補正３】
【補正対象書類名】明細書
【補正対象項目名】０００６
【補正方法】変更
【補正の内容】
【０００６】
上記目的を達成するため、本発明の錠管理システムの一側面によれば、ドアの錠前部に着脱可能に設置され、錠前における鍵の挿入、回動または抜き取りの何れかまたは２以上の操作を監視し、その監視情報を送信する錠監視装置と、前記錠監視装置が送信する前記監視情報を受信し、前記監視情報の記録、提示またはアラート情報の何れかまたは２以上を告知する管理装置とを備え、前記錠監視装置が、鍵の挿抜および回動を支持する支持機構部と、支持孔部と、該支持孔部内に第１の支持部材及び該第１の支持部材との間に間隔部を以て備えた第２の支持部材を有し、且つ前記第１の支持部材及び前記第２の支持部材によって前記支持孔部に回動可能に支持される回動部とで構成される回動機構部と、前記間隔部に設けられて前記鍵の挿抜により移動可能な可動部材に設置された可動接点と、該可動接点に対向して前記第２の支持部材に設置されて前記回動部とともに回動する回動接点とで構成されて、前記鍵の挿入により前記可動接点および前記回動接点の導通が解除されるとともに、前記鍵の抜き取りにより前記可動接点および前記回動接点が導通することで開閉する第１のスイッチ部と、前記回動接点と前記支持孔部の内壁面に設置された固定接点とで構成され、前記鍵の回動により前記回動接点および前記固定接点が導通するとともに前記回動接点および前記固定接点の導通が解除されることで開閉する第２のスイッチ部とを備え、前記鍵の挿入、前記回動または前記抜き取りの何れかまたは２以上を検出する検出部とを備える。
この錠管理システムにおいて、前記管理装置は、前記監視情報を受信する受信部と、前記監視情報を記憶する記憶部と、前記鍵の監視情報の受取りその記録、提示またはアラート情報の生成の何れかまたは２以上を含む処理を実行する処理部とを備えてよい。
【手続補正４】
【補正対象書類名】明細書
【補正対象項目名】０００７
【補正方法】削除
【補正の内容】